(57)【要約】【課題】燃料タンク内に溜まっている水を、誰もが簡単且つ安全に排出することができる燃料タンク内の水抜装置を提供する。【解決手段】本発明に係る燃料タンク内の水抜装置は、吸水剤と乾燥剤を収容しているケーシング体に、吸水用の芯部材を取り付けている。また、芯部材は、上端部側がケーシング体の吸水剤や乾燥剤の中に配置され、下端部側が燃料タンクの内底部の近傍に配置されている。さらに、芯部材は、ネジ込み固定部材を介してケーシング体の下端部側に取り付けられている。【選択図】図３
2008116133.tif 000002
【特許請求の範囲】
【請求項１】
吸水剤を収容しているケーシング体に、吸水用の芯部材を取り付けたことを特徴とする燃料タンク内の水抜装置。
【請求項２】
吸水剤と乾燥剤を収容しているケーシング体に、吸水用の芯部材を取り付けたことを特徴とする燃料タンク内の水抜装置。
【請求項３】
芯部材は、上端部側がケーシング体の吸水剤や乾燥剤の中に配置され、下端部側が燃料タンクの内底部の近傍に配置される請求項１または２に記載の燃料タンク内の水抜装置。
【請求項４】
芯部材は、ケーシング体の下端部側に取り付けられている請求項１乃至３のいずれかに記載の燃料タンク内の水抜装置。
【請求項５】
芯部材は、ネジ込み固定部材を介してケーシング体に取り付けられている請求項１乃至４のいずれかに記載の燃料タンク内の水抜装置。
【請求項６】
ネジ込み固定部材は、その上側に芯部材を保持する筒部を備えている請求項５に記載の燃料タンク内の水抜装置。
【請求項７】
芯部材を保持する筒部の周壁に、複数の通水孔を設けた請求項６に記載の燃料タンク内の水抜装置。
【請求項８】
ケーシング体は、燃料タンク内の燃料の中に配置される請求項１乃至７のいずれかに記載の燃料タンク内の水抜装置。
【請求項９】
ケーシング体は、燃料タンクの給油口に装着される請求項１乃至７のいずれかに記載の燃料タンク内の水抜装置。
【請求項１０】
燃料タンク内の燃料の中に配置されるケーシング体は、その上端部側に浮き部材を備え、ケーシング体の下端部側にネジ込まれているネジ込み固定部材に重錘を備えている請求項８に記載の燃料タンク内の水抜装置。
【請求項１１】
燃料タンク内の燃料の中に配置されるケーシング体は、その側面に、ケーシング体の内部圧力と燃料タンクの内部圧力の差圧を低減させる圧力均整調整部を備えている請求項８または１０に記載の燃料タンク内の水抜装置。
【請求項１２】
圧力均整調整部は、複数のスリット孔を備えた凹部と、該凹部を覆う可撓性の膜により形成されている請求項１１に記載の燃料タンク内の水抜装置。
【発明の詳細な説明】
【技術分野】
【０００１】
本発明は、例えば、石油ファンヒータ等の給油用の燃料タンク内に溜まっている水を抜くために使用する、燃料タンク内の水抜装置に関するものである。
【背景技術】
【０００２】
石油ファンヒータ等に使用する灯油等の給油用の燃料タンク内においては、温度変化等を原因として、燃料タンク内に微量の水が溜まってしまう場合がある。
【０００３】
また、燃料タンクに灯油等を入れるときに、保存用の灯油タンクの内部に存在した少量の水が、灯油と共に燃料タンク内に入れられたときにも、燃料タンク内に水が溜まってしまう事態が生じる。
【０００４】
このとき、水は灯油よりも比重が重いため、燃料タンクの底近傍に溜まり易い。
【０００５】
そして、このような水が灯油と共にバーナ等の燃焼部に送られると、完全な燃焼が妨げられ、燃焼部における故障の原因となっていた。
【０００６】
そのため、従来においては、特許文献１に開示されているように、給油用の燃料タンク内の水の有無を検知する水検知手段を当該燃料タンクの内底面に設け、運転開始時に、常に燃料タンクの内部に水があるか否かを判定し、水があったときには、水を抜き取るまで燃焼運転ができないように制御した液体燃料燃焼装置が提供されている。
【特許文献１】特開２００２−３９５２７号公報
【発明の開示】
【発明が解決しようとする課題】
【０００７】
しかしながら、特許文献１に開示されている液体燃料燃焼装置は、機構が複雑であることから、その製造コストが非常に高くなっていた。
【０００８】
また、一般の家庭で使用されている比較的に小型の石油ファンヒータ等に、このような機構が複雑である液体燃料燃焼装置を取り付けるのも好ましいものではない。
【０００９】
そのため、小型の石油ファンヒータ等に使用する燃料タンク内に水が溜まってしまった場合には、給油口の蓋を外し、タンクの上下を逆さにして、給油口から水を排出しなければならず、非常に面倒であった。
【００１０】
このとき、燃料タンク内から水だけを排出することは困難であり、ある程度の量の灯油と共に水を排出しなければならないため、一部の燃料が無駄になっていた。
【００１１】
また、灯油を排出した際に、引火する可能性があり、非常に危険であった。
【００１２】
そこで、本発明は如上のような従来存した諸事情に鑑み創出されたもので、燃料タンク内に溜まっている水を、誰もが簡単且つ安全に排出することができる燃料タンク内の水抜装置を提供することを目的とする。
【課題を解決するための手段】
【００１３】
本発明に係る燃料タンク内の水抜装置は、吸水剤を収容しているケーシング体に、吸水用の芯部材を取り付けたことで、上述した課題を解決した。
【００１４】
また、吸水剤と乾燥剤を収容しているケーシング体に、吸水用の芯部材を取り付けたことで、同じく上述した課題を解決した。
【００１５】
さらに、芯部材は、上端部側がケーシング体の吸水剤や乾燥剤の中に配置され、下端部側が燃料タンクの内底部の近傍に配置されることで、同じく上述した課題を解決した。
【００１６】
また、芯部材は、ケーシング体の下端部側に取り付けられていることで、同じく上述した課題を解決した。
【００１７】
加えて、芯部材は、ネジ込み固定部材を介してケーシング体に取り付けられていることで、同じく上述した課題を解決した。
【００１８】
また、ネジ込み固定部材は、その上側に芯部材を保持する筒部を備えていることで、同じく上述した課題を解決した。
【００１９】
この他、芯部材を保持する筒部の周壁に、複数の通水孔を設けたことで、同じく上述した課題を解決した。
【００２０】
また、ケーシング体は、燃料タンク内の燃料の中に配置されることで、同じく上述した課題を解決した。
【００２１】
さらに、ケーシング体は、燃料タンクの給油口に装着されることで、同じく上述した課題を解決した。
【００２２】
また、燃料タンク内の燃料の中に配置されるケーシング体は、その上端部側に浮き部材を備え、ケーシング体の下端部側にネジ込まれているネジ込み固定部材に重錘を備えていることで、同じく上述した課題を解決した。
【００２３】
加えて、燃料タンク内の燃料の中に配置されるケーシング体は、その側面に、ケーシング体の内部圧力と燃料タンクの内部圧力の差圧を低減させる圧力均整調整部を備えていることで、同じく上述した課題を解決した。
【００２４】
また、圧力均整調整部は、複数のスリット孔を備えた凹部と、該凹部を覆う可撓性の膜により形成されていることで、同じく上述した課題を解決した。
【発明の効果】
【００２５】
本発明に係る燃料タンク内の水抜装置は、吸水剤を収容しているケーシング体に、吸水用の芯部材を取り付けたことから、その構成が簡単であり、燃料タンク内の水を抜く製品を安価に製作することができる。
【００２６】
また、ケーシング体に吸水剤を収容していることから、芯部材により吸収した水を吸水剤に吸着させることができる。
【００２７】
さらに、ケーシング体に吸水剤と乾燥剤を収容したときには、芯部材により吸収した水を吸水剤と乾燥剤に吸着させることができる。
【００２８】
また、芯部材は、上端部側がケーシング体の吸水剤や乾燥剤の中に配置され、下端部側が燃料タンクの内底部の近傍に配置されていることから、燃料タンク内に溜まっている水を芯部材により吸収し、燃料タンク内の水を確実に取り除くことができる。即ち、芯部材における毛細管現象を利用して、燃料タンク内の水を吸い取るのである。
【００２９】
そして、芯部材により吸収した水を、吸水剤や乾燥剤に吸着させることから、芯部材による連続的な水の吸い取りが可能である。
【００３０】
また、芯部材は、ケーシング体の下端部側に取り付けられていることから、ケーシング体の下方から水を吸い取り、この水を上方に移動させることができる。
【００３１】
加えて、芯部材は、ネジ込み固定部材を介してケーシング体に取り付けられているので、芯部材の取り付け・取り外しが容易である。
【００３２】
また、ネジ込み固定部材は、その上側に芯部材を保持する筒部を備えていることから、ケーシング体の内部において、芯部材の直立した状態を維持することができる。
【００３３】
この他、芯部材を保持する筒部の周壁に、複数の通水孔を設けたことから、芯部材により吸収した水を通過させて、吸水剤や乾燥剤に吸着させることができる。
このとき、芯部材が吸水剤や乾燥剤に接触していないことから、芯部材の劣化や変質を防止することができる。
【００３４】
また、ケーシング体は、燃料タンク内の燃料の中に配置されることから、燃料タンクの外側に余計なスペースを設ける必要がない。
【００３５】
一方、小型の石油ファンヒータ等に使用する燃料タンク内に水が溜まってしまった場合には、給油口の蓋を外してケーシング体を燃料タンクの給油口に装着することで、燃料タンク内に溜まっている水を取り除くことができる。
【００３６】
このとき、燃料タンクの上下を逆さにする必要もない。また、燃料タンク内から水だけを排出することが可能となり、燃料の一部を無駄にすることがない。さらに、水だけを排出するので、引火する危険も無く、安全である。
【００３７】
また、燃料タンク内の燃料の中に配置されるケーシング体は、その上端部側に浮き部材を備え、ケーシング体の下端部側にネジ込まれているネジ込み固定部材に重錘を備えていることから、燃料タンク内の燃料中において、ケーシング体が起立した状態を常に維持して、芯部材による連続的な水の吸い取りが可能である。
【００３８】
加えて、燃料タンク内の燃料の中に配置されるケーシング体は、その側面に、ケーシング体の内部圧力と燃料タンクの内部圧力の差圧を低減させる圧力均整調整部を備えていることから、芯部材の毛細管現象による吸水能力が、差圧を要因として低下してしまう事態の発生を未然に防止することができる。
【００３９】
また、圧力均整調整部は、複数のスリット孔を備えた凹部と、該凹部を覆う可撓性の膜により形成されていることから、ケーシング体の内部圧力が燃料タンクの内部圧力よりも低い負圧の状態となったときに、可撓性の膜が凹部側に潰れて膜と凹部との間に存在した空気がスリット孔を通じてケーシング体の内部に浸入し、ケーシング体の内部圧力を、燃料タンクの内部圧力と略同圧とすることが可能となる。
【発明を実施するための最良の形態】
【００４０】
以下に、本発明を実施するための最良の形態を、図面を参照して説明する。
【００４１】
本発明に係る燃料タンク内の水抜装置１は、例えば、石油ファンヒータ等の給油用の燃料タンクＰ内の燃料である灯油Ｑの中に溜まっている水Ｒを抜くために使用するものである。
【００４２】
この水抜装置１は、図１乃至図４に示すように、燃料タンクＰ内の燃料である灯油Ｑの中に配置されるものと、図５乃至図７に示すように、燃料タンクＰの給油口Ｓに装着されるものがある。
【００４３】
燃料タンクＰ内の燃料である灯油Ｑの中に配置される水抜装置１は、図１乃至図３に示すように、所定の長さの筒状に形成されているケーシング体２に、吸水用の芯部材５を取り付けて構成されている。
【００４４】
ケーシング体２には、所定の吸水剤３や、シリカゲル等の乾燥剤３０を収容している。
【００４５】
尚、ケーシング体２に、吸水剤３のみを収容しても良い。この吸水剤３は、吸水性を有するものであれば、どのようなものであっても差し支えない。また、ケーシング体２に、乾燥剤３０のみを収容しても良い。この乾燥剤３０は、シリカゲル等に限定されることはなく、どのようなものであっても差し支えない。さらに、ケーシング体２に、吸水剤３と乾燥剤３０を混在させて収容しても良い。
【００４６】
図１乃至図３に示すケーシング体２は、円筒状に形成されているが、これに限定されることはなく、例えば、矩形の筒状である等、どのような形状であっても差し支えない。
【００４７】
吸水用の芯部材５としては、例えば、アルコールランプに使われる綿製の芯材等を使用している。
【００４８】
この吸水用の芯部材５は、図２・図３に示すように、ネジ込み固定部材４を介して、ケーシング体２の下端部側に取り付けられている。
【００４９】
ネジ込み固定部材４は、図１に示すように、全体が円筒状に形成され、芯部材５を保持している。このとき、芯部材５における上下の両端部は、所定の長さ分だけ、ネジ込み固定部材４から突出した状態となっている。
【００５０】
芯部材５を保持するネジ込み固定部材４は、下方にフランジ部７を備えている。また、フランジ部７の上方に、所定の長さの雄ネジ部８を設けている。さらに、雄ネジ部８の上方に、比較的に長く形成された筒部１１を設けている。この筒部１1の周壁には、複数の通水孔１０を設けている。また、フランジ部７の上端部に接するようにして、雄ネジ部８にリング状の重錘９を取り付けている。
【００５１】
一方、ケーシング体２の下端部分には、図３・図４に示すように、雌ネジ部６を設けている。そして、ケーシング体２の雌ネジ部６に、ネジ込み固定部材４の雄ネジ部８を螺合させて、ケーシング体２にネジ込み固定部材４を固定している。
【００５２】
このとき、芯部材５は、図３に示すように、筒部１1を介して上端部側がケーシング体２の吸水剤３や乾燥剤３０の中に配置されている。
【００５３】
また、ネジ込み固定部材４は、ケーシング体２の雌ネジ部６へのネジ込み長さを適宜調整することにより、ケーシング体２の下面から垂下している芯部材５の長さを適宜変えられるようにしている。
【００５４】
さらに、ケーシング体２は、図１乃至図３に示すように、上端部側に中空の球体状に形成された浮き部材１２を備えている。この浮き部材１２は、キャップ体１３を介してケーシング体２に取り付けられている。キャップ体１３は、図１・図３に示すように、所定の雄ネジ部２７を備え、ケーシング体２の上端部における内周面に設けた雌ネジ部２８にキャップ体１３の雄ネジ部２７を螺合させて、ケーシング体２の上端部に固定されている。浮き部材１２は、このキャップ体１３に所定の紐部材等を介して固定されているのである。
【００５５】
ネジ込み固定部材４とキャップ体１３を備えているケーシング体２は、芯部材５を介して進入してくる水Ｒを除いて、密封状態が維持されている。
【００５６】
また、ケーシング体２は、燃料タンクＰ内の燃料である灯油Ｑの中に配置されたとき、図３に示すように、重錘９の荷重と浮き部材１２の浮力とのバランスによって、ケーシング体２が灯油Ｑの中で常に起立した状態を保てるようにしている。
【００５７】
このとき、図３に示すように、ケーシング体２の下面から垂下している芯部材５の先端部分が、燃料タンクＰに溜まっている水Ｒの中に位置するように、燃料タンクＰの内底部に接触するように配置される。即ち、浮き部材１２の浮力・ケーシング体２へのネジ込み固定部材４のネジ込み長さ・ネジ込み固定部材４から下方に向けて突出させている芯部材５の長さ等を適宜調節して、このような状態を作り出すのである。
【００５８】
尚、芯部材５の先端部分が燃料タンクＰに溜まっている水Ｒの中に位置していれば、芯部材５が燃料タンクＰの内底部に接触していなくても差し支えない。
【００５９】
さらに、ケーシング体２の側面には、図４に示すように、ケーシング体２の内部圧力と燃料タンクＰの内部圧力の差圧を低減させる内圧力均整調整部１５を設けている。この内圧力均整調整部１５は、複数のスリット孔１７を備えた凹部１６と、該凹部１６を覆う可撓性の膜１４により形成されている。
【００６０】
即ち、図１・図２に示すように、ケーシング体２の下端部側における周側面に、縦方向に設けた複数のスリット孔１７が、互いに隣接した状態で配列されている。このスリット孔１７は、図３に示すように、ケーシング体２における凹部１６の外周面と内周面を連通状態にしている。
【００６１】
また、凹部１６の全面は、若干膨らみを持たせた状態で、例えば、ゴム等の柔軟性のある可撓性の膜１４により被覆されている。このとき、凹部１６の外周面と可撓性の膜１４の内側に、所定量の空気が存在することとなる。
【００６２】
そして、ケーシング体２の内部圧力が、燃料タンクＰの内部圧力よりも低い負圧の状態となったとき、図４に示すように、可撓性の膜１４が凹部１６に接触するように潰れ、可撓性の膜１４と凹部１６の間に存在した空気が、スリット孔１７を通じてケーシング体２の内部に送り込まれる。このようにして、ケーシング体２の内部圧力は、燃料タンクＰの内部圧力と略同圧となるようにしている。
【００６３】
尚、内圧力均整調整部１５は、ケーシング体２の周面における複数の箇所に設けても良い。また、ケーシング体２の全体における周面に設けても良い。
【００６４】
以下に、上述のように構成された燃料タンク内の水抜装置１について、使用・組立・動作の一例を説明する。
【００６５】
先ず、図１に示すように、ネジ込み固定部材４における筒部１１内に芯部材５の一端を挿入し、芯部材５における上下の両端部が、所定の長さ分だけネジ込み固定部材４から突出した状態にする。
【００６６】
また、図２に示すように、フランジ部７の上端部に接するように雄ネジ部８に重錘９を取り付け、ネジ込み固定部材４の雄ネジ部８をケーシング体２の雌ネジ部６に螺合させて、ケーシング体２にネジ込み固定部材４を固定する。
【００６７】
そして、ケーシング体２の中に吸水剤３と乾燥剤３０を入れる。このとき、芯部材５は、図３に示すように、筒部１1を介して上端部側がケーシング体２の吸水剤３や乾燥剤３０の中に配置されている。
【００６８】
その状態で、ケーシング体２の上端部における内周面に設けた雌ネジ部２８にキャップ体１３の雄ネジ部２７を螺合させ、浮き部材１２を連結しているキャップ体１３をケーシング体２の上端部に固定する。
【００６９】
このようにして組み立てられたケーシング体２を、燃料タンクＰの灯油Ｑ中に投入すると、図３に示すように、重錘９の荷重と浮き部材１２の浮力とのバランスによって、ケーシング体２が灯油Ｑの中で起立した状態となる。また、ケーシング体２の下面から垂下している芯部材５の先端部分が、図３に示すように、燃料タンクＰに溜まっている水Ｒの中に位置するように配置される。
【００７０】
この状態で、芯部材５における毛細管現象を利用して、燃料タンクＰ内の水Ｒを吸い取り、ケーシング体２の中に配置されている筒部１１の上方まで水Ｒを移動させる。この過程において、芯部材５により吸い取った水Ｒを通水孔１０からケーシング体２の中に流し込み、ケーシング体２に収容している吸水剤３や乾燥剤３０に水Ｒを吸着させる。
【００７１】
また、ケーシング体２の内部圧力が、燃料タンクＰの内部圧力よりも低い負圧の状態となったとき、図４に示すように、可撓性の膜１４が凹部１６に接触するように潰れ、可撓性の膜１４と凹部１６の間に存在した空気が、スリット孔１７を通じてケーシング体２の内部に送り込まれる。
【００７２】
そのため、ケーシング体２の内部圧力は、燃料タンクＰの内部圧力と略同圧となる。
【００７３】
次に、燃料タンクＰの給油口Ｓに装着される水抜装置１について説明する。
【００７４】
尚、前記した灯油Ｑの中に配置される水抜装置１の構成と略同じ部分には、同じ符号を付すことにより、その詳細な説明を省略する。
【００７５】
この水抜装置１は、図５・図６に示すように、四角形の箱状に形成されたケーシング体２に、吸水用の芯部材５を取り付けて構成されている。
【００７６】
ケーシング体２には、所定の吸水剤３や、シリカゲル等の乾燥剤３０を収容している。
【００７７】
尚、ケーシング体２の形状は、どのようなものであっても差し支えない。
【００７８】
ケーシング体２は、底部の中央から下方に向けて、ネジ筒部２１が一体的に延設されている。また、ネジ筒部２１には、燃料タンクＰの給油口Ｓを塞ぐために、ボルト状の蓋部材２２が取り付けられている。具体的には、ネジ筒部２１に設けた雄ネジ部に、蓋部材２２の雌ネジ部２３を螺合させて、ネジ筒部２１にボルト状の蓋部材２２を取り付けるのである。
【００７９】
また、蓋部材２２の下面には、図６・図７に示すように、燃料タンクＰの給油口Ｓに合致する栓部材２６が設けられている。
【００８０】
さらに、ネジ筒部２１の内周には、図６に示すように、雌ネジ部が設けられている。
【００８１】
また、ケーシング体２は、上方開口部を閉じる蓋体２５を備えている。
【００８２】
一方、吸水用の芯部材５は、図６に示すように、ネジ込み固定部材４を介して、ケーシング体２の底部に取り付けられている。
【００８３】
ネジ込み固定部材４は、図５に示すように、全体が所定の長さの円筒状に形成され、外周面の全体に雄ネジ部８を設けている。そして、ネジ込み固定部材４は、芯部材５を保持している。
【００８４】
このとき、芯部材５における上下の両端部は、所定の長さ分だけ、ネジ込み固定部材４から突出した状態となっている。
【００８５】
尚、芯部材５を突出させる長さは、下端部側が燃料タンクＰに溜まっている水Ｒの中に位置し、上端部側がケーシング体２に収容している吸水剤３や乾燥剤３０の中に位置していれば、どのような長さであっても差し支えない。
【００８６】
但し、ネジ込み固定部材４の上端部側から突出した芯部材５は、吸い取った水Ｒを吸水剤３や乾燥剤３０に吸着し易くするため、図６に示すように、長めである方が好ましいものとなる。
【００８７】
また、ネジ込み固定部材４は、下方にフランジ部７を備えている。
【００８８】
尚、ケーシング体２が比較的に細長く形成されているときには、ネジ込み固定部材４における上端部に、複数の通水孔を設けた所定の長さの筒部を取り付けても良い。
【００８９】
そして、図６に示すように、ケーシング体２のネジ筒部２１に、芯部材５を保持しているネジ込み固定部材４を取り付ける。
【００９０】
具体的には、ネジ筒部２１の内周に設けた雌ネジ部に、ネジ込み固定部材４の雄ネジ部８を螺合させて、ケーシング体２にネジ込み固定部材４を固定するのである。
【００９１】
以下に、上述のように構成された燃料タンク内の水抜装置１について、使用・組立・動作の一例を説明する。
【００９２】
先ず、図６に示すように、ケーシング体２のネジ筒部２１に、芯部材５を保持しているネジ込み固定部材４を固定する
そして、ケーシング体２の中に吸水剤３と乾燥剤３０を入れる。このとき、芯部材５は、吸い取った水Ｒを吸水剤３や乾燥剤３０に吸着し易くするため、図６に示すように、長めに配置されている。
【００９３】
その状態で、ケーシング体２の上方開口部に、蓋体２５を取り付ける。
【００９４】
このようにして、ネジ込み固定部材４を固定したケーシング体２を、図７に示すように、燃料タンクＰの給油口Ｓに装着する。具体的には、蓋部材２２の栓部材２６を、燃料タンクＰの給油口Ｓに嵌め込むのである。
【００９５】
尚、蓋部材２２と給油口Ｓの間に、所定のパッキン等を介在させると、給油口Ｓからの灯油Ｑの漏れを確実に防止できる。また、燃料タンクＰの給油口Ｓに装着したケーシング体２が、不意に外れてしまうような事態の発生も防止できる。
【００９６】
さらに、ケーシング体２の下面から垂下している芯部材５の先端部分は、図７に示すように、燃料タンクＰに溜まっている水Ｒの中に位置するように配置される。
【００９７】
この状態で、芯部材５における毛細管現象を利用して、燃料タンクＰ内の水Ｒを吸い取り、ケーシング体２に収容している吸水剤３や乾燥剤３０に水Ｒを吸着させるのである。
【産業上の利用可能性】
【００９８】
本発明に係る燃料タンクの水抜装置は、石油ファンヒータ等の給油用の燃料タンク以外に、種々の形態を備えている燃料タンク内に溜まった水を排出するために、幅広く利用することができる。
【図面の簡単な説明】
【００９９】
【図１】燃料タンク内の燃料の中に配置される水抜装置の構成を示す分解斜視図である。
【図２】燃料タンク内の燃料の中に配置される水抜装置の構成を示す斜視図である。
【図３】燃料タンク内の燃料の中に配置される水抜装置の使用状態を示す断面図である。
【図４】燃料タンク内の燃料の中に配置される水抜装置における圧力均整調整部の構成を示す拡大断面図である。
【図５】燃料タンクの給油口に装着される水抜装置の構成を示す分解斜視図である。
【図６】燃料タンクの給油口に装着される水抜装置の構成を示す分解断面図である。
【図７】燃料タンクの給油口に装着される水抜装置の使用状態を示す斜視図である。
【符号の説明】
【０１００】
Ｐ…燃料タンク
Ｑ…灯油
Ｒ…水
Ｓ…給油口
１…水抜装置
２…ケーシング体
３…吸水剤
４…ネジ込み固定部材
５…芯部材
６…雌ネジ部
７…フランジ部
８…雄ネジ部
９…重錘
１０…通水孔
１１…筒部
１２…浮き部材
１３…キャップ体
１４…膜
１５…内圧力均整調整部
１６…凹部
１７…スリット孔
２１…ネジ筒部
２２…装着用蓋体
２３…雌ネジ部
２５…キャップ体
２６…パッキン
２７…雄ネジ部
２８…雌ネジ部
３０…乾燥剤
【図１】
2008116133.tif 000003
【図２】
2008116133.tif 000004
【図３】
2008116133.tif 000005
【図４】
2008116133.tif 000006
【図５】
2008116133.tif 000007
【図６】
2008116133.tif 000008
【図７】
2008116133.tif 000009